(57)【要約】【課題】レーベル面に相応しい画像をユーザが簡単に選んで印刷できる。【解決手段】音楽情報記録ディスク１０は、白紙状態のレーベル面１２と、情報記録部を有する記録面１４とを備えている。情報記録部には、音楽情報が記録された音楽情報記録領域と、音楽情報記録領域の空き領域であってレーベル面１２に印刷するための複数の画像情報が記録された画像情報記録領域とが設けられている。この音楽情報記録ディスク１０には、音楽情報以外に、レーベル面１２に印刷するための複数の画像情報が記録されているため、ユーザはこの中から自分の好み等に応じてレーベル面１２に相応しいと思う画像を選択し、選択した画像を白紙状態のレーベル面１２に印刷することができる。【選択図】        図１
2004199732.tif 000002
【特許請求の範囲】
【請求項１】
白紙状態のレーベル面と、
情報記録部を有する記録面と、
前記情報記録部のうち音楽情報が記録された音楽情報記録領域と、
前記情報記録部のうち前記音楽情報記録領域の空き領域であって前記レーベル面に印刷するための複数の画像情報が記録された画像情報記録領域と
を備えた音楽情報記録ディスク。
【請求項２】
前記画像情報記録領域は、前記情報記録部のうち前記音楽情報記録領域の空き領域を利用したものである
請求項１に記載の音楽情報記録ディスク。
【請求項３】
白紙状態のレーベル面と、
情報記録部を有する記録面と、
前記情報記録部のうち音楽情報が記録された音楽情報記録領域と、
前記情報記録部のうち前記レーベル面に印刷するための複数の画像情報を提供する所定のウェブサイトにアクセスする際に必要となるキー情報が記録されたキー情報記録領域と
を備えた音楽情報記録ディスク。
【請求項４】
前記キー情報記録領域は、前記情報記録部のうち前記音楽情報記録領域の空き領域を利用したものである
請求項３に記載の音楽情報記録ディスク。
【請求項５】
前記画像情報は、前記音楽情報に関する内容を含む
請求項１〜４のいずれかに記載の音楽情報記録ディスク。
【請求項６】
前記画像情報は、前記音楽情報を実演する実演者の画像を含む
請求項１〜５のいずれかに記載の音楽情報記録ディスク。
【請求項７】
前記画像情報は、前記音楽情報に関する楽譜を含む
請求項１〜６のいずれかに記載の音楽情報記録ディスク。
【請求項８】
マキシシングルコンパクトディスク又はミニアルバムコンパクトディスクである
請求項１〜７のいずれかに記載の音楽情報記録ディスク。
【発明の詳細な説明】
【０００１】
【発明の属する技術分野】
本発明は、音楽情報記録ディスクに関する。
【０００２】
【従来の技術】
近年、ＣＤ−Ｒ等の個人的に情報の記録が可能な光ディスクが広く普及しているが、この種の光ディスクはレーベル面が白紙状態であることから、プリンタを使ってこのレーベル面に自分でタイトルや画像などを印刷することが行われている。例えば、特許文献１にはこの種の光ディスクに印刷するのに適したインクジェット式プリンタが開示されている。一方、市販されている音楽ＣＤは、予めレーベル面にアーティストの写真などが印刷されている。
【０００３】
【特許文献１】
特開２００２−１２７５２６
【０００４】
【発明が解決しようとする課題】
しかしながら、特許文献１に開示されているようなプリンタを所有しているユーザとしては、音楽ＣＤのレーベル面についても既製のものではなく、自分の所有するプリンタで自分の好みに合ったレーベル面を作成したいという要望が少なからずある。このような要望を満たすには、音楽ＣＤのレーベル面を白紙状態にするだけでよいとも考えられるが、そうすると、その音楽ＣＤのレーベル面に相応しい画像をユーザが自ら見つけ出す必要があり、手間が掛かってしまう。
【０００５】
本発明は、このような課題に鑑みなされたものであり、レーベル面に相応しい画像をユーザが簡単に選んで印刷することができる音楽情報記録ディスクを提供することを目的とする。
【０００６】
【課題を解決するための手段及びその作用・効果】
上述の目的を達成するため、本発明の音楽情報記録ディスクは、
白紙状態のレーベル面と、
情報記録部を有する記録面と、
前記情報記録部のうち音楽情報が記録された音楽情報記録領域と、
前記情報記録部のうち前記音楽情報記録領域の空き領域であって前記レーベル面に印刷するための複数の画像情報が記録された画像情報記録領域と
を備えたものである。
【０００７】
この音楽情報記録ディスクには、音楽情報以外に、レーベル面に印刷するための複数の画像情報が記録されている。このため、ユーザはこの中から自分の好み等に応じてレーベル面に相応しいと思う画像を選択し、選択した画像を白紙状態のレーベル面に印刷することができる。
【０００８】
本発明の音楽情報記録ディスクは、
白紙状態のレーベル面と、
情報記録部を有する記録面と、
前記情報記録部のうち音楽情報が記録された音楽情報記録領域と、
前記情報記録部のうち前記レーベル面に印刷するための複数の画像情報を提供する所定のウェブサイトにアクセスする際に必要となるキー情報が記録されたキー情報記録領域と
を備えたものであってもよい。
【０００９】
この音楽情報記録ディスクには、音楽情報以外に、レーベル面に印刷するための複数の画像情報を提供する所定のウェブサイトにアクセスする際に必要となるキー情報が記録されている。このため、ユーザは、このキー情報を利用して所定のウェブサイトにアクセスすることによりレーベル面に印刷するための複数の画像情報の中から自分の好み等に応じてレーベル面に相応しいと思う画像を選択し、選択した画像を白紙状態のレーベル面に印刷することができる。
【００１０】
ここで、「キー情報」とは、音楽情報記録ディスクの正規ユーザであることを示す識別情報であり、例えば所定のウェブサイトのウェブページを開くときにキー情報の入力を要求されてもよいし、所定のウェブサイトから画像情報を選択又はダウンロードするときにキー情報の入力を要求されてもよい。ウェブサイト側では、キー情報に基づいて正規ユーザであることが確認できたときにはそのユーザからの要求に応じる。
【００１１】
本発明の音楽情報記録ディスクにおいて、前記画像情報記録領域又は前記キー情報記録領域は、前記情報記録部のうち前記音楽情報記録領域の空き領域を利用したものであってもよい。こうすれば、画像情報やキー情報を記録することによって音楽情報記録ディスクに本来必要な音楽情報記録領域が犠牲になることがない。
【００１２】
本発明の音楽情報記録ディスクにおいて、前記画像情報は、前記音楽情報に関する内容を含んでいてもよい。こうすれば、音楽情報記録ディスクに記録された音楽情報と関係のある内容をレーベル面に印刷することができ、後からレーベル面の印刷内容を見たときにどのような音楽情報が記録されているかを把握しやすい。なお、「音楽情報に関する内容」とは、例えば楽曲の題名、楽曲から連想される場面、楽曲の実演者の画像、楽曲の楽譜などが挙げられる。
【００１３】
このうち、楽曲の実演者の画像が画像情報に含まれている場合には、ユーザは画像情報の中から実演者の画像を選択してレーベル面に印刷することができ、この場合、後からレーベル面の印刷内容を見たときにこの音楽情報記録ディスクに記録されている楽曲の実演者が誰なのかを把握しやすい。また、音楽情報記録ディスクに記録されている楽曲の楽譜が画像情報に含まれている場合には、ユーザは画像情報の中から楽譜を選択してレーベル面に印刷することができ、この場合、後からレーベル面の印刷内容を見たときにこの音楽情報記録ディスクにどんな楽曲が記録されているかを把握しやすい。
【００１４】
本発明の音楽情報記録ディスクは、マキシシングルＣＤ（ＣＤはコンパクトディスクの略）又はミニアルバムＣＤであってもよい。マキシシングルＣＤとは、直径が１２ｃｍのＣＤであって収録曲が２曲以下のものをいい、ミニアルバムＣＤとは同じく直径が１２ｃｍのＣＤであって収録曲が３曲以上のものをいう。いずれのＣＤも情報記録部に占める音楽情報記録領域の割合が比較的小さく空き領域が比較的大きいため、前記画像情報や前記キー情報を記録しやすい。
【００１５】
【発明の実施の形態】
次に、本発明の実施の形態を図面に基づいて説明する。図１は印刷前の音楽情報記録ディスク１０の正面図、図２は情報記録部１６の説明図、図３はコンピュータシステム２０の説明図である。
【００１６】
本実施形態の音楽情報記録ディスク１０は、マキシシングルＣＤであり、あるアーティストの楽曲が１曲だけ収録されたものである。この音楽情報記録ディスク１０は、インクジェット式プリンタ２８（図３参照）により印刷可能な白紙状態のレーベル面１２と、このレーベル面１２の裏面であってＣＤドライブ装置２４（図３参照）によって情報が読み出される記録面１４とを備えている。記録面１４は、図２に示すように所定の記憶容量を持つ情報記録部１６を有しており、この情報記録部１６には、楽曲が記録された音楽情報記録領域１６ａが設けられ、音楽情報記録領域１６ａ以外の空き領域に画像情報記録領域１６ｂが設けられている。画像情報記録領域１６ｂには、レーベル面１２に印刷するための複数の画像情報が記録されている。画像情報としては、例えば楽曲の題名や、楽曲から連想される人物・情景や、楽曲の実演者の写真・似顔絵、楽曲の楽譜などがある。
【００１７】
次に、本実施形態の音楽情報記録ディスク１０のレーベル面１２に所望の画像情報を印刷する場合について説明する。ユーザは、図３に示すように、ＣＤドライブ装置２４を備えたパーソナルコンピュータ（以下パソコンという）２２と、このパソコン２２に接続され種々の情報を表示するディスプレイ２６と、パソコン２２に接続され音楽情報記録ディスク１０に印刷可能なインクジェット式プリンタ２８とを備えたコンピュータシステム２０を所有している。図３（ａ）に示すように、音楽情報記録ディスク１０を購入したユーザは、まず、この音楽情報記録ディスク１０をパソコン２２のＣＤドライブ装置２４にセットし（矢印▲１▼参照）、音楽情報記録ディスク１０の情報記録部１６の画像情報記録領域１６ｂからレーベル面１２に印刷するための複数の画像情報を読み出すコマンドをパソコン２２に入力する。すると、パソコン２２は、画像情報記録領域１６ｂからレーベル面１２に印刷するための複数の画像情報を読み出し、サムネイル形式でディスプレイ２６に表示する。次に、ユーザは、サムネイル形式でディスプレイ２６に表示された複数の画像情報の中から自分の好みに応じてレーベル面１２に相応しいと思われる画像を選択するコマンドをパソコン２２に入力する。すると、パソコン２２は、ユーザが選択した画像をディスプレイ２６の画面全体に表示する。次に、ユーザは、自分の選択した画像をディスプレイ２６上で確認したあと、その画像をレーベル面１２に印刷することに決めたときには、音楽情報記録ディスク１０をＣＤドライブ装置２４から取り出す（矢印▲２▼参照）。
【００１８】
そして、図３（ｂ）に示すように、ＣＤドライブ装置２４から取り出した音楽情報記録ディスク１０をレーベル面１２が上になるようにインクジェット式プリンタ２８に付属しているＣＤ用トレイ１８に載せ、このＣＤ用トレイ１８をインクジェット式プリンタ２８の背面に設けられた給紙口２８ａにセットし（矢印▲３▼参照）、その後、自分の選択した画像をレーベル面１２に印刷するコマンドをパソコン２２に入力する。すると、パソコン２２はインクジェット式プリンタ２８に印刷指令を出力する。これを受けたインクジェット式プリンタ２８は、給紙口２８ａにセットされたＣＤ用トレイ１８を図示しない送りローラを駆動することにより内部に送り込みながら、図示しないプリントヘッドからインクを吐出させることにより音楽情報記録ディスク１０のレーベル面１２に画像を印刷する動作を行い、最終的に手前に設けられた排紙口２８ｂからＣＤ用トレイ１８を排出する。その後、ユーザはＣＤ用トレイ１８から印刷後の音楽情報記録ディスク１０を取り出す。このときの音楽情報記録ディスク１０は、図４に示すように、レーベル面１２にユーザが所望した画像が印刷されたものとなっている。なお、インクジェット式プリンタ２８としては、例えば特開２００２−１２７５２６号公報に記載されたものを利用すればよい。
【００１９】
以上詳述したように、本実施形態の音楽情報記録ディスク１０によれば、音楽情報以外に、レーベル面１２に印刷するための複数の画像情報が記録されているため、ユーザはこの中から自分の好み等に応じてレーベル面１２に相応しいと思う画像を選択し、選択した画像を白紙状態のレーベル面１２に印刷することができる。
【００２０】
また、画像情報記録領域１６ｂは、情報記録部１６のうち音楽情報記録領域１６ａの空き領域を利用したものであるため、画像情報を記録することによって音楽情報記録ディスク１０に本来必要な音楽情報記録領域１６ａが犠牲になることがない。
【００２１】
更に、画像情報記録領域１６ｂには、楽曲の題名、楽曲から連想される場面、楽曲の実演者の画像、楽曲の楽譜などの画像情報が記録されているため、これらの少なくとも一つを選択してレーベル面１２に印刷すれば、後からレーベル面１２の印刷内容を見たときにどのような音楽情報が記録されているかを把握しやすい。特に、実演者の画像を選択してレーベル面１２に印刷した場合には、後からレーベル面の印刷内容を見たときにこの音楽情報記録ディスク１０に記録されている楽曲の実演者が誰なのかを把握しやすく、また、楽曲の楽譜を選択してレーベル面１２に印刷した場合には、後からレーベル面１２の印刷内容を見たときにこの音楽情報記録ディスク１０にどんな楽曲が記録されているかを把握しやすい。
【００２２】
なお、本発明は上述した実施形態に何等限定されるものではなく、種々の形態で実施し得ることはいうまでもない。
【００２３】
例えば、上述した実施形態では情報記録部１６のうち音楽情報記録領域１６ａの空き領域に画像情報記録領域１６ｂを設けたが、画像情報記録領域１６ｂの代わりに、図５に示すように、音楽情報記録ディスク１０のレーベル面１２に印刷するための複数の画像情報を提供する所定のウェブサイトにアクセスする際に必要となるキー情報が記録されたキー情報記録領域１６ｃを設けてもよい。このキー情報の使用例を以下に説明する。ユーザは、まず、音楽情報記録ディスク１０をパソコン２２のＣＤドライブ装置２４にセットし、パソコン２２をネットワークを介して所定のウェブサイトに接続し、そのウェブサイトが提供するウェブページのうちレーベル面に印刷するための複数の画像情報を選択するウェブページを開く。次に、ユーザは、ディスプレイ２６に表示された複数の画像情報の中から自分の好みに応じてレーベル面１２に相応しいと思われる画像を選択するコマンドをパソコン２２に入力する。すると、パソコン２２は、ネットワークを介してウェブサイトに画像情報の要求信号を送信する。これを受信したウェブサイトは、画像情報を入手する資格を有する正規ユーザか否かを判定するために、キー情報の入力を促すキー情報入力画面をパソコン２２に送信する。すると、パソコン２２は、このキー情報入力画面をディスプレイ２６に表示する。ユーザは、音楽情報記録ディスク１０からキー情報を読み出す操作を行い、そのキー情報をキー情報入力画面に入力し、送信指令をパソコン２２に入力する。すると、パソコン２２はネットワークを介してウェブサイトにキー情報を送信し、これを受信したウェブサイトはそのキー情報に基づいて正規ユーザか否かを判定し、正規ユーザと判定したときにはユーザが選択した画像をパソコン２２に送信し、これを受信したパソコン２２はその画像をディスプレイ２６に表示する。ユーザは、自分の選択した画像をディスプレイ２６上で確認したあと、その画像をレーベル面１２に印刷することに決めたときには、音楽情報記録ディスク１０をＣＤドライブ装置２４から取り出してＣＤ用トレイ１８にセットし、上述した実施形態と同様にしてインクジェット式プリンタ２８でレーベル面１２に印刷する。以上のように、画像情報記録領域１６ｂの代わりにキー情報記録領域１６ｃを有する音楽情報記録ディスク１０によれば、ユーザは、キー情報を利用して所定のウェブサイトにアクセスすることによりレーベル面１２に印刷するための複数の画像情報の中から自分の好み等に応じてレーベル面１２に相応しいと思う画像を選択し、選択した画像を白紙状態のレーベル面１２に印刷することができる。特に、キー情報記録領域１６ｃは画像情報記録領域１６ｂに比べて低容量のため、情報記録部１６の空き領域が小さく画像情報を記録できないときにはキー情報を記録することが好ましい。
【００２４】
また、上述した実施形態では、マキシシングルＣＤを例に挙げて説明したが、ミニアルバムＣＤであっても情報記録部１６の空き領域が比較的大きいため、本発明を適用するのに適している。但し、他の音楽ディスク（８ｃｍのシングルＣＤや１２ｃｍのアルバムＣＤやコンパクトディスク以外のディスクなど）であっても、情報記録部に空き領域が存在する場合には本発明を適用することができる。
【図面の簡単な説明】
【図１】印刷前の音楽情報記録ディスク１０の正面図である。
【図２】情報記録部１６の説明図である。
【図３】コンピュータシステム２０の説明図である。
【図４】印刷後の音楽情報記録ディスク１０の正面図である。
【図５】他の実施形態の情報記憶部の説明図である。
【符号の説明】
１０  音楽情報記録ディスク、１２  レーベル面、１４  記録面、１６  情報記録部、１６ａ  音楽情報記録領域、１６ｂ  画像情報記録領域、１６ｃ  キー情報記録領域、１８  ＣＤ用トレイ、２０  コンピュータシステム、２２  パソコン、２４  ＣＤドライブ装置、２６  ディスプレイ、２８  インクジェット式プリンタ、２８ａ  給紙口、２８ｂ  排紙口。
【図１】
2004199732.tif 000003
【図２】
2004199732.tif 000004
【図３】
2004199732.tif 000005
【図４】
2004199732.tif 000006
【図５】
2004199732.tif 000007